(57)【要約】【課題】果汁を安定して噴霧することでき、フィルタの清掃が容易な果汁噴霧用具を得る。【解決手段】果汁噴霧用具１は、果汁を吸い上げて霧状に噴射する噴霧部２と、この噴霧部２と連結すると共に果物等にねじ込むスクリュー部３とから構成されている。スクリュー部３の胴部３ａの下部には、胴部３ａを横方向に貫通する開口部３ｃが設けられている。指を押釦５ｂから離し押釦５ｂへの押圧力を解除すると、レモンの挿入穴内の果汁は開口部３ｃを通じてフィルタ部５ｊ、吸液管５ｉを介して円筒部５ｄ内に吸引される。押釦５ｂを押すと、円筒部５ｄ内の果汁は給液シリンダ管５ｆを介して上方に流出し、押釦５ｂの噴霧ノズル５ａから噴霧される。【選択図】図４
2018064654.tif 000002
【特許請求の範囲】
【請求項１】
上端の噴霧ノズルを備えた押釦を押圧することで、下端の吸液管から果汁を吸い上げて前記噴霧ノズルから霧状に噴射する噴霧部と、該噴霧部と連結するスクリュー部とから成る果汁噴霧用具であって、
前記吸液管の下部には、取り外し自在のフィルタ部が取り付けられており、
前記スクリュー部は円筒状の胴部を備え、該胴部の下部には、前記胴部を横方向に貫通する開口部が設けられており、
前記フィルタ部は前記胴部内に挿入可能とされていることを特徴とする果汁噴霧用具。
【請求項２】
前記胴部の下端には底面部が連結しており、該底面部の下には先が尖った先端部が設けられていることを特徴とする請求項１に記載の果汁噴霧用具。
【請求項３】
前記底面部の中央には前記フィルタ部の下端を挿入するための凹部が形成されていることを特徴とする請求項２に記載の果汁噴霧用具。
【請求項４】
前記胴部の周囲には、スクリュー刃が右ねじ方向に螺旋状に設けられていることを特徴とする請求項１〜３の何れか１項に記載の果汁噴霧用具。
【請求項５】
前記フィルタ部は略円筒形とされ、長手方向に複数のスリット部を設けたことを特徴とする請求項１〜４の何れか１項に記載の果汁噴霧用具。
【請求項６】
前記噴霧部は基体部と、基体部の中心軸方向に固定されたスプレー部とから成り、該スプレー部の上端に前記押釦を、下端に前記吸液管を備え、
前記基体部には前記スクリュー部を果物にねじ込んだ際のストッパとして機能するつば部が外側に張り出されていることを特徴とする請求項１〜５の何れか１項に記載の果汁噴霧用具。
【請求項７】
前記噴霧部と前記スクリュー部との連結は、ねじによる螺合としたことを特徴とする請求項１〜６の何れか１項に記載の果汁噴霧用具。
【請求項８】
前記開口部は、胴部の一部である脚部により形成されており、該脚部の果物に挿入する際の回転する方向の端部に、前記フィルタ部に近付けるように内側に湾曲させた湾曲部を設けたことを特徴とする請求項１〜７の何れか１項に記載の果汁噴霧用具。
【請求項９】
前記開口部は、胴部の一部である脚部により形成されており、該脚部から前記フィルタ部に向けて内側に複数個のガイド壁部が前記脚部に連結していることを特徴とする請求項１〜７の何れか１項に記載の果汁噴霧用具。
【請求項１０】
前記ガイド壁部の形状は下方にゆくにつれて前記内側に向けて幅広となる形状をしていることを特徴とする請求項９に記載の果汁噴霧用具。
【発明の詳細な説明】
【技術分野】
【０００１】
本発明は、レモン等の果物内に挿入し、挿入穴内に溜まった果汁を噴霧する果汁噴霧用具に関するものである。
【背景技術】
【０００２】
特許文献１には、フィルタを介して濾過した果汁を収集するためのキャビティを画定した内面を有する部分を備える果汁抽出器と、スプレーポンプ及び前記キャビティの中に配設されるチューブを備えるスプレーディスペンサーとから成る果汁スプレーが開示されている。
【０００３】
この特許文献１の果汁スプレーでは、例えばレモン等の果物に果汁スプレーを先端から挿し込んだ後に、先端の通路からキャビティ内に溜まった果汁を、チューブを介してスプレーディスペンサーの上端のノズルから噴霧する。
【０００４】
この果汁スプレーにより、レモン果汁を揚げ物等の料理の香り付けに使う場合において、レモンを直接、指で絞るよりも、手を汚さずにレモン果汁を万遍なく料理全体に付着させることが可能となる。
【先行技術文献】
【特許文献】
【０００５】
【特許文献１】特表２０１４−５２２２６６号公報
【発明の概要】
【発明が解決しようとする課題】
【０００６】
しかし、特許文献１においては、チューブ先端に溜まる果汁は、果汁スプレー先端の孔部からしかキャビティ内に溜めることができない。果汁スプレーを果物に挿し込む過程では、スプレー先端の部分の果汁がキャビティ内に溜まってゆくが、果物への果汁スプレーの挿し込みが完了すると、下端の通路部からキャビティに進入する果汁量は減少してしまう。
【０００７】
特に、キャビティに果汁を供給する通路部は果汁抽出器の先端にしか存在しないため、果汁スプレーの先端周辺の果汁が減少してゆくと、キャビティ内に果汁が溜まってゆく速度も遅くなり、所定時間を経過しないと噴霧できないという問題が生ずる。
【０００８】
また、この果汁スプレーを果物に挿入した際に、通路部内に果物繊維による目詰まりを起こすことがある。このような場合には、果汁内の果汁が十分にあってもキャビティ内には果汁がなかなか溜まらないため、一度果物内から果汁スプレーを引き抜き、分解し洗浄した後に、再度果物に挿入して使用しなければならないという問題がある。
【０００９】
本発明の目的は、上述の課題を解決し、果汁を安定して噴霧することができると共に、果物内に挿入中であっても、容易にフィルタ部を掃除することができる果汁噴霧用具を提供することにある。
【課題を解決するための手段】
【００１０】
上記目的を達成するための本発明に係る果汁噴霧用具は、上端の噴霧ノズルを備えた押釦を押圧することで、下端の吸液管から果汁を吸い上げて前記噴霧ノズルから霧状に噴射する噴霧部と、該噴霧部と連結するスクリュー部とから成る果汁噴霧用具であって、前記吸液管の下部には、取り外し自在のフィルタ部が取り付けられており、前記スクリュー部は円筒状の胴部を備え、該胴部の下部には、前記胴部を横方向に貫通する開口部が設けられており、前記フィルタ部は前記胴部内に挿入可能とされていることを特徴とする。
【発明の効果】
【００１１】
本発明に係る果汁噴霧用具は、果物にねじ込むスクリュー部に開放部を設けることで、果物内に挿入した際に形成した挿入穴の周囲から滲み出て、挿入穴内に溜まった果汁を、開口部を通じて効果的に噴霧させることができる。
【００１２】
また、スプレー部の吸液管にフィルタ部を取り外し可能に装着することにより、スプレー部への果物繊維の進入を防止すると共に、果物繊維による目詰まりが発生した場合に、フィルタ部だけを清掃することが可能である。
【図面の簡単な説明】
【００１３】
【図１】実施例の果汁噴霧用具を分解した状態の斜視図である。
【図２】組み立てた状態の上方から見た斜視図である。
【図３】下方から見た斜視図である。
【図４】縦断面図である。
【図５】図４のＡ−Ａ線に沿って拡大した横断面図である。
【図６】使用状態の説明図である。
【図７】押釦を押し込んだ状態の断面図である。
【図８】第１の変形例のＡ−Ａ線に沿って拡大した横断面図である。
【図９】第２の変形例の縦断面図である。
【図１０】第２の変形例のＡ−Ａ線に沿って拡大した横断面図である。
【発明を実施するための形態】
【００１４】
本発明を図示の実施例に基づいて詳細に説明する。
【００１５】
図１は果汁噴霧用具１を分解した分解斜視図、図２は組み立てた果汁噴霧用具１を上方から見た斜視図、図３は下方から見た斜視図である。また、図４は果汁噴霧用具１の縦断面図であり、図５は図４のＡ−Ａ線に沿って拡大した横断面図である。
【００１６】
果汁噴霧用具１は合成樹脂製とされ、果汁噴霧用具１の大きさは、例えば長さが１０ｃｍ程度、下方のスクリュー部の直径が２ｃｍ程度であり、ねじ込むべき果物の大きさに合わせて、適宜のサイズのものを採択することができる。
【００１７】
果汁噴霧用具１は、果汁を吸い上げて霧状に噴射する噴霧部２と、この噴霧部２と連結すると共に、果物等にねじ込むスクリュー部３とから構成されている。この噴霧部２は、基体部４と、この基体部４の中心軸方向に固定されたスプレー部５とから構成されている。
【００１８】
基体部４は、円筒状の大径部４ａと、この大径部４ａの蓋体から上方に延在し、上部を開放した円筒状の中径部４ｂと、この中径部４ｂ内にあって、大径部４ａの蓋体から上方に延在する小径部４ｃとから構成され、この小径部４ｃの上部は閉止され、上部の中心に貫通孔４ｄが設けられている。
【００１９】
また、大径部４ａの内側には内ねじ部４ｅが設けられており、大径部４ａの下端には、つば部４ｆがフランジ状に外側に張り出されている。なお、つば部４ｆは図示するように果実の側面に沿う曲面状であってもよいし、平面状であってもよい。また、大径部４ａ、中径部４ｂ、小径部４ｃ、つば部４ｆは一体成型されている。
【００２０】
スプレー部５は中径部４ｂに上下方向に可動に配置され、噴霧ノズル５ａを有する押釦５ｂを上端に備え、この押釦５ｂの下部は円筒状とされ、中径部４ｂと小径部４ｃとの間に入り込むようにされ、噴霧ノズル５ａと連通する筒部５ｃが下方に向けて形成されている。
【００２１】
スプレー部５の中央に、径の大きな円筒部５ｄにより囲まれたポンプ部５ｅが設けられ、円筒部５ｄには、上下方向に可動の給液シリンダ管５ｆのシリンダ部５ｇが挿入されている。給液シリンダ管５ｆの上部は円筒部５ｄの上方に突出され、その上端は押釦５ｂの筒部５ｃに嵌合され、噴霧ノズル５ａと給液シリンダ管５ｆとが連通可能とされている。
【００２２】
また、押釦５ｂの下部は中径部４ｂと小径部４ｃとの間に配置され、シリンダ部５ｇはフランジ状とされている。このシリンダ部５ｇの周縁は、円筒部５ｄの内壁に摺動自在に接触しており、円筒部５ｄの内部に付勢部材として設けたコイルスプリング５ｈにより上方に付勢されている。
【００２３】
ポンプ部５ｅの内径には吸液管５ｉが付設され、ポンプ部５ｅの下部には内径に吸液管５ｉを配置したフィルタ部５ｊがポンプ部５ｅの下端と当接するように取り付けられている。吸液管５ｉの先端は、フィルタ部５ｊ内の下端よりもやや上まで挿し込んだ状態とされている。
【００２４】
フィルタ部５ｊは略円筒状とされ、上部に吸液管５ｉへの取付部５ｋと側方周囲に縦方向に複数個のスリット部５ｌとが設けられており、必要に応じて吸液管５ｉから引き抜いて取り外せるようになっている。
【００２５】
本実施例では、底面を備えない構造となっているが、底面を備えた構造にしてもよい。また、フィルタ部５ｊの取付部５ｋの上端がポンプ部５ｅの下端に当接することで、吸液管５ｉの側面にフィルタ部５ｊが摺動することを防止している。
【００２６】
更に、ポンプ部５ｅの下部の吸液管５ｉとの境界には、逆止弁として機能するボール弁５ｍが移動自在に配置されている。また、円筒部５ｄの上端及び円筒部５ｄの周囲にはシール用の円環状パッキン５ｎ及び５ｏが取り付けられている。
【００２７】
スプレー部５の円筒部５ｄの上部は、噴霧部２の小径部４ｃ内に嵌合されて、接着剤により噴霧部２とスプレー部５とは固定され、円筒部５ｄと小径部４ｃの間はパッキン５ｎによりシールされている。また、パッキン５ｏは大径部４ａの内側で中径部４ｂの境界部に位置するようにされている。
【００２８】
一方、スクリュー部３は円筒状の胴部３ａを備え、胴部３ａの上部には噴霧部２の内ねじ部４ｅに螺合する外ねじ部３ｂが設けられている。また、胴部３ａの下部には、胴部３ａを横方向に貫通する、例えば四角状の開口部３ｃが設けられている。なお、開口部３ｃは本実施例では２個設けているが、１個又は複数個の適宜の個数の開口部３ｃを設けることができる。
【００２９】
開口部３ｃは、胴部３ａの一部である脚部３ｄ、３ｅにより形成されており、開口部３ｃは胴部３ａの上方まで開口するようにしてもよい。
【００３０】
胴部３ａの下端には底面部３ｆが連結されており、この底面部３ｆの中央にはフィルタ部５ｊの下端を挿入するための凹部３ｇが形成されており、底面部３ｆの下には先が尖った先端部３ｈが設けられている。なお、この先端部３ｈは果物に対しねじ込み易くすると共に、補強と樹脂の節約のために断面が十字状とされている。更に、胴部３ａ及び脚部３ｄ、３ｅ、及び先端部３ｈの周囲にはスクリュー刃３ｉが右ねじ方向に螺旋状に設けられている。
【００３１】
果汁噴霧用具１の使用に際しては、噴霧部２の内ねじ部４ｅにスクリュー部３の外ねじ部３ｂを螺合して固定する。このとき、スクリュー部３の上端は噴霧部２のパッキン５ｏに当接し、この螺合部で液漏れがないようにシールされる。なお、噴霧部２及びスクリュー部３の固定は螺合に限定されず、連結部同士の嵌め合わせなどにより連結することもできる。
【００３２】
噴霧部２のスプレー部５の下端のフィルタ部５ｊは、スクリュー部３の胴部３ａの開口部３ｃ付近まで挿入され、フィルタ部５ｊの下端は底面部３ｆの凹部３ｇ内に挿入され位置決めされる。凹部３ｇ内に挿入されたフィルタ部５ｊは、胴部３ａ内で固定され移動することはない。
【００３３】
果汁Ｊを吸引すべき例えばレモンＬに、スクリュー刃３ｉを用いてスクリュー部３を図５に示す矢印の向きに回転させながらねじ込む。ねじ込みが終わると、基体部４のつば部４ｆがレモンＬの表皮に接しストッパとして機能するので、スクリュー部３はそれ以上にレモンＬ内に挿入されることはない。そして、レモンＬに挿入した際に形成された挿入穴の周囲から滲み出たレモンＬの果汁Ｊが、挿入穴内に溜まることになる。
【００３４】
そこで、果汁噴霧用具１を図６に示すようにレモンＬごと手で握って、指で押釦５ｂを下方に押す。これにより、図７に示すように、給液シリンダ管５ｆのシリンダ部５ｇがコイルスプリング５ｈの上方への付勢力に抗して下降し、円筒部５ｄ内の空間が小さくなり、ボール弁５ｍは下方に押し下げられて吸液管５ｉとの間を閉止し、円筒部５ｄ内の空気が加圧される。そして、加圧された空気は、給液シリンダ管５ｆを介して押釦５ｂの噴霧ノズル５ａから外部に吐出される。
【００３５】
指を押釦５ｂから離し押釦５ｂへの押圧力を解除すると、図4に示すように、給液シリンダ管５ｆのシリンダ部５ｇは、ポンプ部５ｅのコイルスプリング５ｈの付勢力により上方に押し上げられ、円筒部５ｄ内の空間が大きくなって円筒部５ｄ内は減圧される。これにより、ボール弁５ｍが押し上げられて開き、レモンＬの挿入穴内の果汁Ｊは開口部３ｃを通じてフィルタ部５ｊ、吸液管５ｉを介して円筒部５ｄ内に吸引される。
【００３６】
ここで、再びコイルスプリング５ｈの付勢力に抗して押釦５ｂを押すと、給液シリンダ管５ｆのシリンダ部５ｇにより円筒部５ｄ内が加圧され、ボール弁５ｍが閉止し、円筒部５ｄ内の果汁は給液シリンダ管５ｆを介して上方に流出し、押釦５ｂの噴霧ノズル５ａから噴霧される。
【００３７】
押釦５ｂを離すと、シリンダ部５ｇは上昇して円筒部５ｄ内は負圧となり、ボール弁５ｍが開き再びレモンＬの挿入穴の果汁Ｊが開口部３ｃを通じてフィルタ部５ｊ、吸液管５ｉを介して円筒部５ｄ内に吸引される。この押釦５ｂによる操作を繰り返えすことにより、レモンＬの果汁は連続的に吸引されて噴霧されることになる。
【００３８】
なお、ポンプ部５ｅの構造は実施例に限定されることなく、押釦５ｂを押すとポンプ部５ｅ内の果汁が加圧されて噴霧ノズル５ａから噴霧され、押釦５ｂから指を離すと、ポンプ部５ｅ内に果物からの果汁が吸引される構造であればよい。
【００３９】
果汁噴霧用具１の使用中に、フィルタ部５ｊのスリット部５ｌに目詰まりが発生し、果汁Ｊが挿入穴内に十分に溜まっているにも拘らず、噴霧ノズル５ａから噴霧できない場合には、噴霧部２のスクリュー部３に対する螺合を外して、噴霧部２のみを取り外す。そして、フィルタ部５ｊのスリット部５ｌを水洗い等で掃除を行った後に、レモンＬに挿入したままのスクリュー部３に噴霧部２を取り付けることで、果汁Ｊの噴霧を再開することができる。
【００４０】
従来の果汁スプレーでは、使用中に通路部に目詰まりが発生した場合には、レモンＬから果汁スプレー全体を引き抜く必要があり、手間を要していた。これに対し、本実施例の果汁噴霧用具１では噴霧部２だけを取り外して掃除するだけなので、使用中でも簡便にフィルタ部５ｊ等の目詰まりを解消することができる。また、フィルタ部５ｊを吸液管５ｉから取り外すことができるので、フィルタ部５ｊだけを集中して掃除することもできる。
【００４１】
図８は第１の変形例の果汁噴霧用具１‘の横断面図であり、レモンＬ等の果物に挿入する際に脚部３ｄ、３ｅの回転する方向の端部に、フィルタ部５ｊに近付けるように内側に湾曲させた湾曲部３ｊが設けられている。
【００４２】
湾曲部３ｊを設けることで、スクリュー部３の挿入回転時に果汁Ｊ中に含まれる繊維質等が、脚部３ｄ、３ｅ及びフィルタ部５ｊ間の詰まり易い狭い空隙に進入することを防止することができる。このように脚部３ｄ、３ｅ及びフィルタ部５ｊ間に繊維質等の進入を防止することで、フィルタ部５ｊのスリット部５ｌが目詰まりし難い構造とされている。
【００４３】
図９は第２の変形例の果汁噴霧用具１の縦断面図、図１０はＡ−Ａ線に沿った横断面図である。脚部３ｄ、３ｅの水平方向の両端に、フィルタ部５ｊに向けて内側に立設したガイド壁部３ｋが設けられている。従って、スクリュー部３に噴霧部２を取り付ける際は、フィルタ部５ｊの下端からガイド壁部３ｋに沿って容易に胴部３ａ内に挿入できることになる。
【００４４】
ガイド壁部３ｋの形状は脚部３ｄ、３ｅ、底面部３ｆを辺部とする三角形状をしている。ガイド壁部３ｋの形状が下方にゆくにつれて内側に向けて幅広となる三角形状にすることで、フィルタ部５ｊの下端は下方にゆくにつれて底面部３ｆの中央方向へ案内され、底面部３ｆの凹部３ｇに合致するように修正されることになる。また、ガイド壁部３ｋの高さは、脚部３ｄ、３ｅに対して適宜の高さを採用することができる。
【００４５】
９０度ずつずらした状態で配置した４つのガイド壁部３ｋに案内されたフィルタ部５ｊの下端は、底面部３ｆの凹部３ｇ内に挿入される。このように、ガイド壁部３ｋを設けることで、フィルタ部５ｊは胴部３ａ内でぐらつくことなく、底面部３ｆの凹部３ｇ内に容易に挿入されることになる。
【００４６】
なお、第２の変形例では４つのガイド壁部３ｋを用いて説明したが、脚部３ｄ、３ｅからフィルタ部５ｊに向けて内側に複数個のガイド壁部３ｋが脚部３ｄ、３ｅに連結している構造であればよい。
【００４７】
このようにガイド壁部３ｋはフィルタ部５ｊの案内機能を有すると共に、脚部３ｄ、３ｅ及びフィルタ部５ｊ間に繊維質等の進入を防止する機能も併せ持っている。
【００４８】
従来の果汁スプレーでは先端の孔部からしか果汁を溜めることができないため、溜まるのに時間を要し、連続して噴霧することができないのに比べて、本実施例の果汁噴霧用具１は、開口部３ｃを設けることで、果物内に挿入した際に形成された挿入穴の周囲から滲み出て、挿入穴内に溜まった果汁を、開口部３ｃを通じて直ぐに噴霧させることができる。従って、果汁噴霧用具１は連続して噴霧することが可能となる。
【符号の説明】
【００４９】
１  果汁噴霧用具
２  噴霧部
３  スクリュー部
３ａ  胴部
３ｂ  外ねじ部
３ｃ  開口部
３ｄ、３ｅ  脚部
３ｆ  底面部
３ｈ  先端部
３ｉ  スクリュー刃
３ｊ  湾曲部
３ｋ  ガイド壁部
４  基体部
４ｅ  内ねじ部
４ｆ  つば部
５  スプレー部
５ａ  噴霧ノズル
５ｂ  押釦
５ｄ  円筒部
５ｆ  給液シリンダ管
５ｉ  吸液管
５ｊ  フィルタ部
５ｌ  スリット部
【図１】
2018064654.tif 000003
【図２】
2018064654.tif 000004
【図３】
2018064654.tif 000005
【図４】
2018064654.tif 000006
【図５】
2018064654.tif 000007
【図６】
2018064654.tif 000008
【図７】
2018064654.tif 000009
【図８】
2018064654.tif 000010
【図９】
2018064654.tif 000011
【図１０】
2018064654.tif 000012